(57)【要約】【課題】鉄筋コンクリートの建物における漏水原因箇所を、水がない状態でも電気抵抗による方法によって探索できるようにする。【解決手段】抵抗測定器１と、漏水箇所に接触させる固定端子２と、探索対象面に移動させながら接触させる探索端子３とを備え、抵抗測定器１の抵抗測定レンジを５ＭΩ以上とすることにより、探索対象面に水がない状態でも、探索端子３が亀裂等の漏水原因箇所に接したときに、漏水原因箇所から漏水箇所までのミズ道に堆積しているエフロレッセンス２００を介した通電によって抵抗値が測定されるようにして、抵抗値が測定されたときに探索端子３が接触していた場所を漏水原因箇所として特定することができるようにする。【選択図】図２
2016138809.tif 000002
【特許請求の範囲】
【請求項１】
鉄筋コンクリートの建物において漏水の原因となっている漏水原因箇所を探索するための漏水検査装置であって、
抵抗測定器と、
上記抵抗測定器からケーブルを介して接続され、上記漏水の発生場所である漏水箇所に接触させる固定端子と、
上記抵抗測定器からケーブルを介して接続され、上記漏水原因箇所を探索する探索対象面に移動させながら接触させる探索端子とを備え、
上記抵抗測定器は、５ＭΩ以上の抵抗測定レンジを有することを特徴とする漏水検査装置。
【請求項２】
上記抵抗測定器は、２００ＭΩ以上の抵抗測定レンジを有することを特徴とする請求項１に記載の漏水検査装置。
【請求項３】
上記ケーブルは、銀と銅の重合品であることを特徴とする請求項１または２に記載の漏水検査装置。
【請求項４】
上記ケーブルは、ツイストペアケーブルであることを特徴とする請求項３に記載の漏水検査装置。
【発明の詳細な説明】
【技術分野】
【０００１】
本発明は、漏水検査装置に関し、特に、建物における漏水の原因となる漏水原因箇所を発見するための装置に用いて好適なものである。
【背景技術】
【０００２】
一般に、建物の天井や壁面からの雨漏りやシミといった漏水現象は、施工の欠陥、不良、劣化などが原因となって発生する。したがって、漏水が発生した場合には、早急に漏水原因箇所を特定して補修することが必要となる。従来、漏水原因箇所を発見するための検査方法として、様々な方法が考案され、実施されてきた。例えば、水張り・散水・高圧洗浄による方法、色水・蛍光塗料・ブラックライトによる方法、トレーサーガスによる方法、臭いによる方法、界面活性剤による方法、赤外線カメラによる方法、音による方法、電気抵抗による方法などが知られている。
【０００３】
なお、建物の内部に侵入した雨水が居住者の目に触れるのは、雨漏りやシミとなって現れる部分（以下、漏水箇所という）である。ところが、当該漏水箇所に至るまでに、雨水は柱や壁の裏側など、長い経路（ミズ道）を伝ってきている。したがって、ミズ道の大元に当たる漏水原因箇所を正確に特定することは、業者といえども容易なことではない。従来、このような問題に鑑みて、亀裂等の漏水原因箇所を容易に検出できるようにすることを目的としてなされた漏水検査装置が考案されている（例えば、特許文献１参照）。
【０００４】
特許文献１に記載の水漏れ位置探索装置では、建物が鉄筋コンクリートの場合、構造材内部に存在する鉄筋と導通を有する蛇口に固定端子を接続する。一方、亀裂が生じている可能性のある探索対象面に探索端子を接触させて、抵抗値を測定する。そして、探索対象面上で探索端子を移動させながら抵抗値を測定したときに、探索端子が亀裂に接すると、測定される抵抗値が小さくなる。探索端子−亀裂−鉄筋−蛇口−固定端子という回路が成立するためである。ここで、探索端子−亀裂−鉄筋の間は、実際に伝っている雨水が導通路の役割を果たしている。これにより、抵抗値が下がったときに探索端子が接触していた場所を漏水原因箇所として特定することができる。
【先行技術文献】
【特許文献】
【０００５】
【特許文献１】特開平５−２９６８７０号公報
【発明の概要】
【発明が解決しようとする課題】
【０００６】
しかしながら、上記特許文献１に記載された従来の技術では、建物外部の亀裂から内部の鉄筋まで実際に水が伝っている状態でなければ検査を行うことができないという問題があった。そのため、実際に雨が降っているときに検査を行うか、探索端子を接触させる探索対象面に散水をしながら検査を行う必要があり、何れにしても検査員の作業負荷が大きくなるという問題が生じていた。
【０００７】
本発明は、このような問題を解決するために成されたものであり、鉄筋コンクリートの建物における漏水原因箇所を、水がない状態でも電気抵抗による方法によって探索できるようにすることを目的とする。
【課題を解決するための手段】
【０００８】
上記した課題を解決するために、本発明の漏水検査装置は、抵抗測定器と、漏水箇所に接触させる固定端子と、探索対象面に移動させながら接触させる探索端子とを備え、抵抗測定器の抵抗測定レンジを５ＭΩ以上、好ましくは２００ＭΩ以上としている。
【発明の効果】
【０００９】
上記のように構成した本発明によれば、探索対象面に水がない状態でも、漏水箇所に固定端子を接触させるとともに、探索対象面に探索端子を接触させて、当該探索端子を移動させながら抵抗測定器で抵抗値を測定すると、探索端子が亀裂等の漏水原因箇所に接したときに、５ＭΩ以上の大きな抵抗値が測定される。これは、漏水原因箇所から漏水箇所までのミズ道にエフロレッセンスが堆積していて、当該エフロレッセンスを通じて僅かに通電が生じるためである。
【００１０】
エフロレッセンスは、コンクリート中の水酸化カルシウムＣａ（ＯＨ）２が、亀裂等に浸入した雨水に溶け出し、空気中の炭酸ガスと反応して炭酸カルシウムＣａＣＯ３となって析出したものである。一般に、炭酸カルシウムは絶縁性物質として知られているが、発明者がエフロレッセンスについて鋭意調査したところ、１０００[Ｖ]程の電圧をかければ、僅かではあるが通電することを発見した。
【００１１】
このため、５ＭΩ以上の抵抗測定レンジを有する抵抗測定器を用いれば、漏水原因箇所から漏水箇所までのミズ道に析出しているエフロレッセンスを介した通電によって抵抗値を測定することができる。その結果、抵抗値が測定されたときに探索端子が接触していた場所を漏水原因箇所として特定することができる。これにより、本発明によれば、鉄筋コンクリートの建物における漏水原因箇所を、水がない状態でも電気抵抗による方法によって探索することができる。
【図面の簡単な説明】
【００１２】
【図１】本実施形態による漏水検査装置の構成例を示す図である。
【図２】本実施形態の漏水検査装置を用いた漏水検査方法を説明するための図である。
【発明を実施するための形態】
【００１３】
以下、本発明の一実施形態を図面に基づいて説明する。図１は、本実施形態による漏水検査装置の構成例を示す図である。本実施形態の漏水検査装置１０は、鉄筋コンクリートの建物において漏水の原因となっている漏水原因箇所を電気抵抗による方法によって探索するための装置である。
【００１４】
図１に示すように、本実施形態の漏水検査装置１０は、抵抗測定器１と、当該抵抗測定器１からケーブル４を介して接続された固定端子２と、抵抗測定器１からケーブル５を介して接続された探索端子３とを備えて構成されている。
【００１５】
抵抗測定器１は、５ＭΩ以上の抵抗測定レンジを有する絶縁抵抗計である。後述するように、本実施形態では、絶縁性の高いエフロレッセンスを介して通電させたときの抵抗値を測定するため、５ＭΩ以上の大きな抵抗値を測定することが可能な絶縁抵抗計を用いる。なお、抵抗測定レンジが小さいものは、測定誤差が生じる可能性があるので、抵抗測定器１はできるだけ抵抗測定レンジの大きいものを用いるのが好ましい。例えば、２００ＭΩ以上の抵抗測定レンジを有するものがより好ましい。
【００１６】
固定端子２は、雨漏りやシミ等の漏水の発生場所である漏水箇所に固定して接触させるための端子である。固定端子２は、できるだけ断面積が大きく、抵抗値が小さいものを用いるのが好ましい。例えば、銅板を固定端子２として用いることが可能である。本実施形態では、建物の構造材に対し、銅板から成る固定端子２を粘着テープ等により貼り付けて固定する。
【００１７】
探索端子３は、漏水の発生原因となっている亀裂等の漏水原因箇所を探索する探索対象面に移動させながら接触させるための端子である。この探索端子３は、図１に示すように、複数の細い金属線からなるブラシ部３１を有している。建物の探索対象面と直接接触する部分をブラシ状とすることにより、探索端子３は探索対象面との接触面積がある程度大きくなるため、探索作業の効率を高めることができる。
【００１８】
ケーブル４，５は、電気抵抗を極力小さくするため、銀と銅の重合品を用いるのが好ましい。また、ケーブル４，５は、ツイストペアケーブルであることが好ましい。ツイストペアケーブルは、電線を２本対で撚り合わせたケーブルであり、単なる平行線よりノイズの影響を受けにくいという性質を有している。そのため、ケーブル４，５の長さが数十メートルと長くなったとしても、流れる電流の減衰を低減させ、抵抗値を測定することが可能となる。
【００１９】
雨漏り等の漏水箇所は、検査員の目にも明らかに確認できる部分である。これに対し、亀裂等の漏水原因箇所は、建物のどこにあるのか一見して分からない。また、漏水箇所と漏水原因箇所とが比較的遠く離れている、つまりミズ道の距離が長い場合もある。この場合、ケーブル４，５の少なくとも一方を長くして、探索対象範囲を広げて検査を行う必要がある。本実施形態によれば、探索対象範囲を数十メートル圏内と広くするためにケーブル４，５を長くしても、ケーブル４，５自身の抵抗値が極めて小さく、ノイズによる減衰も起きにくいため、抵抗測定器１によって抵抗値を測定することが可能である。
【００２０】
図２は、以上のように構成した本実施形態の漏水検査装置１０を用いた漏水検査方法を説明するための図である。図２に示すように、コンクリートの構造材１００の内側（室内）における雨漏りやシミの発生場所である漏水箇所に固定端子２を接触させるとともに、構造材１００の外側（室外）にある探索対象面に探索端子３を接触させて、当該探索端子３を移動させながら、１０００[Ｖ]程の電圧をかけて抵抗測定器１で抵抗値を測定する。
【００２１】
この場合、図２（ａ）のように、探索端子３が亀裂等の漏水原因箇所に接していないと、抵抗測定器１では抵抗値が測定されない。固定端子２と探索端子３との間でコンクリートが通電せず、電流の流れる回路が形成されないからである。一方、図２（ｂ）のように、探索端子３が亀裂等の漏水原因箇所に接すると、抵抗測定器１によって５ＭΩ以上の抵抗値が測定される。これは、探索端子３が接触している漏水原因箇所から、固定端子２が接触している漏水箇所までのミズ道にエフロレッセンス２００が堆積していて、当該エフロレッセンス２００を通じて僅かに通電が生じるためである。
【００２２】
以上のように、５ＭΩ以上の抵抗測定レンジを有する抵抗測定器１を用いることにより、漏水原因箇所から漏水箇所までのミズ道に析出しているエフロレッセンス２００を介した通電によって抵抗値を測定することができる。その結果、抵抗値が測定されたときに探索端子３が接触していた場所を漏水原因箇所として特定することができる。これにより、本実施形態によれば、鉄筋コンクリートの建物における漏水原因箇所を、水がない状態でも電気抵抗による方法によって探索することができる。
【００２３】
なお、上記実施形態において、抵抗測定器１により測定される抵抗値と所定の閾値とを比較して、抵抗値が閾値との関係で所定の条件を満たす場合に、エフロレッセンスへの通電に基づく抵抗値である、つまり、そのとき探索端子３が接触している場所が漏水原因箇所であると判定するようにしてもよい。この判定を、例えば抵抗測定器１に接続したマイクロコンピュータによって行い、漏水原因箇所であると判定した場合にアラーム音を出力するようにしてもよい。
【００２４】
その他、上記実施形態は、何れも本発明を実施するにあたっての具体化の一例を示したものに過ぎず、これによって本発明の技術的範囲が限定的に解釈されてはならないものである。すなわち、本発明はその要旨、またはその主要な特徴から逸脱することなく、様々な形で実施することができる。
【符号の説明】
【００２５】
１  抵抗測定器
２  固定端子
３  探索端子
４，５  ケーブル
１０  漏水検査装置
１００  コンクリートの構造材
２００  エフロレッセンス
【図１】
2016138809.tif 000003
【図２】
2016138809.tif 000004